(57)【要約】【課題】ネジ止め等によってワイヤに器具本体を固定する作業を容易にする照明器具を提供する。【解決手段】照明器具１は、器具本体５と、線状部材２と、吊り具３と、係止部４とを備える。線状部材２は、天井面に支持される。吊り具３は、線状部材２に吊り下げられる。係止部４は、吊り具３と器具本体５とを係止させる。係止部４は、引掛け部材４２と、引掛け部材４２を支持する支持部４１とを含む。【選択図】図３
2018147711.tif 000002
【特許請求の範囲】
【請求項１】
器具本体と、
天井面に支持される線状部材と、
前記線状部材に吊り下げられる吊り具と、
前記吊り具と前記器具本体とを係止させる係止部と
を備え、
前記係止部は、引掛け部材と、前記引掛け部材を支持する支持部とを含む、照明器具。
【請求項２】
前記引掛け部材は、前記器具本体に設けられ、前記支持部は、前記吊り具に設けられる、請求項１に記載の照明器具。
【請求項３】
前記引掛け部材は、前記器具本体から突出する第１突起部を含む、請求項２に記載の照明器具。
【請求項４】
前記支持部は、
前記引掛け部材が挿通される開口と、
前記開口の縁を形成する開口縁部と
を含み、
前記開口縁部が前記第１突起部を支持することによって、前記器具本体の下方への移動が規制される、請求項３に記載の照明器具。
【請求項５】
前記支持部は、当接面を含み
前記引掛け部材は、前記第１突起部が突出する方向と交差する方向に突出する第２突起部を含み、
前記第２突起部が、前記当接面に当接することによって、前記当接面と直交する方向への前記器具本体の移動が規制される、請求項４に記載の照明器具。
【請求項６】
前記吊り具は、複数であり、
前記器具本体は、長手方向を有する略直方体形状の筐体を含み、
前記引掛け部材は、前記筐体の前記長手方向の端部にそれぞれ設けられる、請求項２〜請求項５のいずれか１項に記載の照明器具。
【請求項７】
前記引掛け部材は、前記線状部材が延びる方向における前記筐体の略中央、又は略中央よりも上方の位置に設けられる、請求項６に記載の照明器具。
【請求項８】
前記引掛け部材は、前記長手方向及び前記線状部材が延びる方向と直交する方向における前記筐体の略中央の位置に設けられる、請求項６又は請求項７に記載の照明器具。
【請求項９】
前記器具本体は複数であり、
隣接する前記器具本体の間に１つの前記吊り具が配置される、請求項６〜請求項８のいずれか１項に記載の照明器具。
【請求項１０】
前記引掛け部材は、前記吊り具に設けられ、前記支持部は、前記器具本体に設けられる、請求項１に記載の照明器具。
【発明の詳細な説明】
【技術分野】
【０００１】
本発明は、照明器具に関する。
【背景技術】
【０００２】
特許文献１には、ワイヤに吊り下げられた間接照明器具が開示されている。詳しくは、特許文献１に開示の間接照明器具は、ワイヤと、ワイヤ止め具と、器具本体とを備える。ワイヤは、天井面に取付けられた天井レールによって支持される。器具本体は、ワイヤ止め具を介してワイヤの下端に吊り下げられる。詳しくは、器具本体は、ワイヤ止め具にネジ等によって固定され、ワイヤは、ワイヤ止め具にボルト及びナットによって固定される。
【先行技術文献】
【特許文献】
【０００３】
【特許文献１】特開平８−１７１８０９号公報
【発明の概要】
【発明が解決しようとする課題】
【０００４】
しかしながら、ネジ止め等によって器具本体をワイヤに吊り下げる作業は高所で行われる。したがって、器具本体をワイヤに固定する作業は容易ではない。
【０００５】
本発明は上記課題に鑑み、ネジ止め等によってワイヤに器具本体を固定する作業を容易にする照明器具を提供することを目的とする。
【課題を解決するための手段】
【０００６】
本願に開示する照明器具は、器具本体と、線状部材と、吊り具と、係止部とを備える。前記線状部材は、天井面に支持される。前記吊り具は、前記線状部材に吊り下げられる。前記係止部は、前記吊り具と前記器具本体とを係止させる。前記係止部は、引掛け部材と、前記引掛け部材を支持する支持部とを含む。
【０００７】
本願に開示する照明器具は、前記引掛け部材が前記器具本体に設けられ、前記支持部が前記吊り具に設けられてもよい。
【０００８】
本願に開示する照明器具は、前記引掛け部材が前記器具本体から突出する第１突起部を含んでもよい。
【０００９】
本願に開示する照明器具は、前記支持部が、開口と、前記開口の縁を形成する開口縁部とを含んでもよく、前記開口に前記引掛け部材が挿通されてもよい。前記開口縁部が前記第１突起部を支持することによって、前記器具本体の下方への移動が規制されてもよい。
【００１０】
本願に開示する照明器具は、前記支持部が当接面を含み、前記引掛け部材が、前記第１突起部が突出する方向と交差する方向に突出する第２突起部を含んでもよい。前記第２突起部が、前記当接面に当接することによって、前記当接面と直交する方向への前記器具本体の移動が規制されてもよい。
【００１１】
本願に開示する照明器具は、前記吊り具が複数であってもよく、前記器具本体が、長手方向を有する略直方体形状の筐体を含んでもよい。前記引掛け部材は、前記筐体の前記長手方向の端部にそれぞれ設けられてもよい。
【００１２】
本願に開示する照明器具は、前記引掛け部材が、前記線状部材が延びる方向における前記筐体の略中央、又は略中央よりも上方の位置に設けられてもよい。
【００１３】
本願に開示する照明器具は、前記引掛け部材が、前記長手方向及び前記線状部材が延びる方向と直交する方向における前記筐体の略中央の位置に設けられてもよい。
【００１４】
本願に開示する照明器具は、前記器具本体が複数であってもよく、隣接する前記器具本体の間に１つの前記吊り具が配置されてもよい。
【００１５】
本願に開示する照明器具は、前記引掛け部材が前記吊り具に設けられ、前記支持部が前記器具本体に設けられてもよい。
【発明の効果】
【００１６】
本発明によれば、ネジ止め等によってワイヤに器具本体を固定する作業が容易になる。
【図面の簡単な説明】
【００１７】
【図１】実施形態１に係る照明器具の構成を示す正面図である。
【図２】実施形態１に係る照明器具の構成を示す斜視図である。
【図３】実施形態１に係る吊り金具と器具本体とが連結する前の照明器具を示す拡大図である。
【図４】実施形態１に係る吊り金具の構成を示す斜視図である。
【図５】実施形態１に係る吊り金具の構成を示す側面図である。
【図６】（ａ）は、実施形態１に係る引掛け部材の構成を示す斜視図であり、（ｂ）は、実施形態１に係る引掛け部材の構成を示す側面図である。
【図７】図３に示すＶＩＩ−ＶＩＩ線に沿った器具本体の拡大断面図である。
【図８】実施形態１に係る係止部を模式的に示す断面図である。
【図９】（ａ）〜（ｃ）は、実施形態１に係る器具本体の仮吊り方法を示す模式図である。
【図１０】実施形態２に係る照明器具の構成を示す斜視図である。
【図１１】実施形態２に係る中間吊り金具の構成を示す斜視図である。
【図１２】実施形態２に係るＬ字吊り金具の構成を示す斜視図である。
【発明を実施するための形態】
【００１８】
以下、図面を参照して本発明に係る照明器具の実施形態について説明する。なお、図中、同一又は相当部分については同一の参照符号を付して説明を繰り返さない。
【００１９】
［実施形態１］
まず、図１を参照して、実施形態１に係る照明器具１の構成について説明する。図１は、実施形態１に係る照明器具１の構成を示す正面図である。
【００２０】
図１に示すように、照明器具１は、２本のワイヤ２、２つの吊り金具３、及び器具本体５を備える。本実施形態に係る照明器具１は、ワイヤ２によって吊り下げられる。ワイヤ２は、天井Ｃに支持される。また、照明器具１は、天井Ｃから吊り下げられた電源ケーブルＰと接続する。なお、以下では、天井Ｃ側を照明器具１の上側とし、その反対側を照明器具１の下側として本実施形態を説明する。
【００２１】
２本のワイヤ２はそれぞれ、上端が天井Ｃに固定される。２つの吊り金具３はそれぞれ、天井Ｃから延びるワイヤ２によって吊下げられる。器具本体５は、略直方体形状の筐体５１を有する。筐体５１は、長手方向を有する。本実施形態において、筐体５１の長手方向の長さは、例えば、１３００ｍｍである。以下、照明器具１の長手方向を左右方向とし、左右方向及び上下方向と直交する方向を前後方向として本実施形態を説明する。詳しくは、電源ケーブルＰと接続する側を照明器具１の左側とし、その反対側を右側として本実施形態を説明する。また、照明器具１を左側から見たときの右側を照明器具１の前側とし、その反対側を照明器具１の後ろ側として本実施形態を説明する。
【００２２】
器具本体５の長手方向の各端部は、ワイヤ２によって吊り下げられた各吊り金具３と連結する。なお、ワイヤ２は、線状部材の一例であり、吊り金具３は、吊り具の一例である。
【００２３】
続いて、図２を参照して、実施形態１に係る照明器具１の構成について更に説明する。図２は、実施形態１に係る照明器具１の構成を示す斜視図である。
【００２４】
図２に示すように、照明器具１は、長尺のダクトレール５２を有する。ダクトレール５２の長手方向の端部には、フードインキャップ５２１が装着される。フードインキャップ５２１は、電源ケーブルＰが接続される端子台を内部に有する。フードインキャップ５２１は、電源ケーブルＰを介して供給される外部電源電圧をダクトレール５２に印加する。
【００２５】
本実施形態の照明器具１は、スポットライトのような照射方向の変更が自在な第１灯具５２２を備える。第１灯具５２２は、ダクトレール５２に着脱自在に取り付けられる。第１灯具５２２は、ダクトレール５２に装着されることによって、電気的にダクトレール５２と接続する。第１灯具５２２は、第１光源及び第１電源部を内部に有する。第１電源部には、ダクトレール５２から外部電源電圧が供給される。第１電源部は、外部電源電圧を内部電源電圧に変換して、第１光源に供給する。第１光源は、第１電源部から内部電源電圧が供給されることによって光を出射する。第１光源は、例えば、ＬＥＤ（Ｌｉｇｈｔ  Ｅｍｉｔｔｉｎｇ  Ｄｉｏｄｅ）基板である。
【００２６】
続いて、図３を参照して、実施形態１に係る照明器具１の左右方向の端部の構成について説明する。なお、本実施形態に係る照明器具１の両端部の構成は略同様である。このため、以下では、図３を参照して、照明器具１の左側の端部の構成について説明し、照明器具１の右側の端部の構成の説明は省略する。
【００２７】
図３は、実施形態１に係る吊り金具３と器具本体５とが連結する前の照明器具１を示す拡大図である。詳しくは、図３は、照明器具１の左側に位置する吊り金具３の近傍を示す。なお、図３では、電源ケーブルＰは省略している。
【００２８】
図３に示すように、照明器具１は、係止部４を更に備える。係止部４は、支持部４１及び引掛け部材４２を有する。本実施形態において、支持部４１は、吊り金具３に設けられる。引掛け部材４２は、器具本体５の長手方向（左右方向）の端部に設けられる。
【００２９】
引掛け部材４２は、器具本体５から突出する。詳しくは、引掛け部材４２は、器具本体５の長手方向における端（端面５１Ｅ）から器具本体５の外方に向けて突出する。具体的には、器具本体５の左側の端部に設けられた引掛け部材４２は、器具本体５の左側に向けて突出する。また、図示しないが、器具本体５の右側の端部に設けられた引掛け部材４２は、器具本体５の右側に向けて突出する。
【００３０】
続いて、図４、及び図５を参照して、実施形態１に係る吊り金具３の構成について説明する。図４は、実施形態１に係る吊り金具３の構成を示す斜視図である。詳しくは、図４は、照明器具１の左側に位置する吊り金具３の構成を示す。図４では、理解を容易にするために、ワイヤ２を２点鎖線で示している。なお、本実施形態に係る照明器具１の右側に位置する吊り金具３は、図４に示す吊り金具３と同様の構成を有する。よって、照明器具１の右側に位置する吊り金具３の説明は省略する。
【００３１】
図４に示すように、吊り金具３は、略直方体（直方体を含む）の形状である。吊り金具３は、上壁３１、第１側壁３２、第２側壁３３、及び下壁３４を有する。第１側壁３２は、図３を参照して説明した器具本体５の端面５１Ｅと対向する。第２側壁３３は、照明器具１の左右方向において第１側壁３２に対向する。なお、前後方向において対向する吊り金具３の２つの側面は、開放されている。
【００３２】
上壁３１には、ワイヤ挿通孔３１１、及び電源ケーブル挿通孔３１２が形成されている。ワイヤ挿通孔３１１には、ワイヤ２が挿通され、電源ケーブル挿通孔３１２には、図１を参照して説明した電源ケーブルＰが挿通される。なお、照明器具１の右側に位置する吊り金具３において電源ケーブル挿通孔３１２は省略されてもよい。
【００３３】
支持部４１は、第１側壁３２に設けられる。支持部４１は、支持孔４１１、開口縁部４１２、及び当接面４１３を有する。
【００３４】
支持孔４１１は、略矩形状の開口を含む。開口縁部４１２は、支持孔４１１の縁を形成する。本実施形態において、開口縁部４１２は、支持孔４１１の下側の縁である。開口縁部４１２は、図３を参照して説明した引掛け部材４２を支持する。これにより、器具本体５の下方への移動が規制される。当接面４１３は、第１側壁３２における開口縁部４１２よりも下方の部分によって構成される。
【００３５】
また、第１側壁３２には、第１ケーブル挿通孔ｈ１、及び第２ケーブル挿通孔ｈ２が形成されている。図１を参照して説明した電源ケーブルＰは、電源ケーブル挿通孔３１２に挿通された後、第１ケーブル挿通孔ｈ１及び第２ケーブル挿通孔ｈ２に分かれて挿通される。
【００３６】
図５は、実施形態１に係る吊り金具３の構成を示す側面図である。詳しくは、図５は、図４に示す吊り金具３の第１側壁３２を示す。
【００３７】
図５に示すように、支持孔４１１は、第１側壁３２の上下方向における略中央（中央を含む）の位置に配置される。また、支持孔４１１は、第１側壁３２の前後方向における略中央（中央を含む）の位置に配置される。
【００３８】
第１ケーブル挿通孔ｈ１は、略矩形状である。第１ケーブル挿通孔ｈ１は、支持孔４１１よりも上方に配置される。第２ケーブル挿通孔ｈ２は、支持孔４１１よりも下方に配置される。第２ケーブル挿通孔ｈ２は、円弧状の第１切欠き部Ｋ１、及び円弧状の第２切欠き部Ｋ２を含む。第１切欠き部Ｋ１及び第２切欠き部Ｋ２は、第２ケーブル挿通孔ｈ２の上方の縁に形成される。第１切欠き部Ｋ１は、前後方向の略中央（中央を含む）の位置に形成される。
【００３９】
次に、図６（ａ）及び図６（ｂ）を参照して、実施形態１に係る引掛け部材４２の構成について説明する。図６（ａ）は、実施形態１に係る引掛け部材４２の構成を示す斜視図であり、図６（ｂ）は、実施形態１に係る引掛け部材４２の構成を示す側面図である。詳しくは、図６（ａ）及び図６（ｂ）は、器具本体５の左側に設けられる引掛け部材４２を示す。なお、器具本体５の右側に設けられる引掛け部材４２の構成は、図６（ａ）及び図６（ｂ）に示す引掛け部材４２と同様の構成を有するため、その説明は省略する。
【００４０】
図６（ａ）に示すように、引掛け部材４２は、略平板状の金具である。引掛け部材４２は、略正方形（正方形を含む）のベース部４２１を有する。ベース部４２１には、複数の貫通孔４２１ａが形成される。
【００４１】
引掛け部材４２は、フック部４２２を有する。フック部４２２は、ベース部４２１の一端から突出する。本実施形態において、フック部４２２は、Ｌ字形状の部材であって、第１突出部４２３、及び第２突出部４２４を有する。
【００４２】
第１突出部４２３は、ベース部４２１側の一端を基端としてベース部４２１から突出する。本実施形態において、第１突出部４２３は、ベース部４２１の面方向に沿って突出する。なお、第１突出部４２３は、ベース部４２１の面方向と交差する方向に沿って突出してもよい。
【００４３】
第２突出部４２４は、第１突出部４２３の先端から突出する。詳しくは、第２突出部４２４は、第１突出部４２３側の一端を基端としてベース部４２１の面方向と交差する方向に向けて突出する。本実施形態において、第２突出部４２４は、ベース部４２１の面方向と直交する方向（下方）に向けて突出する。すなわち、第２突出部４２４は、第１突出部４２３と直交する方向に向けて突出する。
【００４４】
次に、図７を参照して、実施形態１に係る器具本体５の構成について説明する。図７は、図３に示すＶＩＩ−ＶＩＩ線に沿った器具本体５の拡大断面図である。図７では、理解を容易にするために、ワイヤ２及び吊り金具３を２点鎖線で示している。なお、図７では、電源ケーブルＰは省略している。
【００４５】
図７に示すように、器具本体５は、筐体５１、及びダクトレール５２に加え、第１取付部材５３、第２灯具５４、及び第２取付部材５５を有する。
【００４６】
筐体５１は、筐体５１の内部空間を上下に区切る仕切り壁５１１を有する。以下では、筐体５１において仕切り壁５１１よりも下側の空間を第１空間Ａ１と記載し、筐体５１において仕切り壁５１１よりも上側の空間を第２空間Ａ２と記載する。
【００４７】
筐体５１の端面５１Ｅには、ネジ孔５１ｈが形成されている。ネジ孔５１ｈには、吊り金具３の第２ケーブル挿通孔ｈ２に形成された第１切欠き部Ｋ１を介してネジが螺着される。これにより、器具本体５と吊り金具３とが固定される。
【００４８】
ダクトレール５２及び第１取付部材５３は、第１空間Ａ１に配置される。第１取付部材５３は、ダクトレール５２を筐体５１に取り付ける（固定する）ために使用される金具である。第１取付部材５３の左右方向の各側壁には、第３ケーブル挿通孔ｈ３が形成されている。第３ケーブル挿通孔ｈ３の各々には、吊り金具３の第２ケーブル挿通孔ｈ２から導かれた電源ケーブルＰが挿通される。第３ケーブル挿通孔ｈ３の各々に挿通された電源ケーブルＰは、フードインキャップ５２１が有する端子台へと導かれる。
【００４９】
第２灯具５４は、第２空間Ａ２に配置される。第２灯具５４は、第２電源部、及び第２光源を有する。第２電源部には、電源ケーブルＰを介して外部電源電圧が供給される。第２電源部は、外部電源電圧を内部電源電圧に変換して、第２光源に供給する。第２光源は、第２電源部から内部電源電圧が供給されることによって光を出射する。第２光源は、例えば、ＬＥＤ基板である。
【００５０】
第２取付部材５５は、第２空間Ａ２に配置される。第２取付部材５５は、第２灯具５４を筐体５１に取り付ける（固定する）ために使用される金具である。第２取付部材５５の左右方向の各側壁には、第４ケーブル挿通孔ｈ４が形成されている。第４ケーブル挿通孔ｈ４の各々には、吊り金具３の第１ケーブル挿通孔ｈ１から導かれた電源ケーブルＰが挿通される。第４ケーブル挿通孔ｈ４の各々に挿通された電源ケーブルＰは第２灯具５４の第２電源部へと導かれる。
【００５１】
第１取付部材５３は、上壁５３ａを有する。第２取付部材５５は、底壁５５ａを有する。上壁５３ａ及び底壁５５ａには、図６（ａ）を参照して説明したベース部４２１の貫通孔４２１ａと対応する位置に貫通孔がそれぞれ形成されている。
【００５２】
本実施形態において、引掛け部材４２は、第１取付部材５３と第２取付部材５５との間に配置される。詳しくは、筐体５１の左右方向の端面５１Ｅからフック部４２２が筐体５１の外方に向けて突出するように、第１取付部材５３と第２取付部材５５との間にベース部４２１が配置される。より詳しくは、ベース部４２１は、第１取付部材５３の上壁５３ａと、仕切り壁５１１との間に挟まれて、第１取付部材５３及び第２取付部材５５と共に仕切り壁５１１に固定される。具体的には、図６（ａ）を参照して説明したベース部４２１の貫通孔４２１ａ、第１取付部材５３の上壁５３ａに形成された貫通孔、及び第２取付部材５５の底壁５５ａに形成された貫通孔に挿通されたネジが仕切り壁５１１に形成されたネジ孔に螺着される。これにより、筐体５１の仕切り壁５１１に引掛け部材４２（ベース部４２１）、第１取付部材５３、及び第２取付部材５５が固定される。
【００５３】
フック部４２２が吊り金具３の支持孔４１１に挿入されると、器具本体５が吊り金具３に仮吊される。以下では、フック部４２２が支持孔４１１に挿入された状態を「器具本体５が吊り金具３に仮吊りされた状態」と記載する場合がある。
【００５４】
なお、器具本体５の右側端部の構成は、左側端部の構成と略同様であるため、右側端部の構成の説明については省略する。
【００５５】
続いて、図８を参照して、実施形態１に係る器具本体５が吊り金具３に仮吊りされた状態における係止部４（支持部４１及び引掛け部材４２）について説明する。図８は、実施形態１に係る係止部４を模式的に示す断面図である。詳しくは、図８は、器具本体５が吊り金具３に仮吊りされた状態における係止部４を示す。係止部４が吊り金具３と器具本体５とを係止させることにより、器具本体５が吊り金具３に仮吊りされた状態となる。
【００５６】
図８に示すように、器具本体５を仮吊りする際、フック部４２２は、典型的には第１方向Ｄ１に沿って支持孔４１１に挿入される。フック部４２２が支持孔４１１に挿入され、引掛け部材４２に器具本体５の荷重がかかると、開口縁部４１２は、第１突出部４２３を下方から支持する。これにより、器具本体５の下方への移動が規制される。
【００５７】
また、フック部４２２が支持孔４１１に挿入され、引掛け部材４２に器具本体５の荷重がかかっている状態では、第２突出部４２４が当接面４１３に対向している。この状態において、第２方向Ｄ２へ向けてフック部４２２が移動すると、第２突出部４２４が当接面４１３（吊り金具３の第１側壁３２）に当接する。これにより、器具本体５の第２方向Ｄ２への移動が規制される。なお、第２方向Ｄ２は、第１方向Ｄ１とは反対の方向であり、当接面４１３と直交する方向である。
【００５８】
次に、図９（ａ）〜図９（ｃ）を参照して、実施形態１に係る器具本体５を吊り金具３へ仮吊りさせる方法について説明する。以下では、器具本体５を吊り金具３へ仮吊りさせる方法を「器具本体５の仮吊り方法」と記載する。図９（ａ）〜図９（ｃ）は、実施形態１に係る器具本体５の仮吊り方法を示す模式図である。
【００５９】
まず、図９（ａ）に示すように、２つの吊り金具３がワイヤ２によって天井Ｃから吊り下げられている状態において、作業者は、一方の吊り金具３に器具本体５の長手方向の一端を仮吊りさせる。図９（ａ）に示す例では、左側に位置する吊り金具３に器具本体５の左側端を仮吊りさせる。詳しくは、器具本体５の左側のフック部４２２を、左側に位置する吊り金具３の支持孔４１１に挿入する（引掛ける）。これにより、器具本体５の左側端が左側に位置する吊り金具３によって仮吊りされる。
【００６０】
次いで、図９（ｂ）に示すように、作業者は、他方の吊り金具３に器具本体５の長手方向の他端を仮吊りさせる。図９（ｂ）に示す例では、右側に位置する吊り金具３に器具本体５の右側端を仮吊りさせる。詳しくは、器具本体５の右側のフック部４２２を、右側に位置する吊り金具３の支持孔４１１に挿入する（引掛ける）。これにより、器具本体５の右側端が右側に位置する吊り金具３によって仮吊りされる。この結果、図９（ｃ）に示すように、器具本体５の左側端及び右側端が２つの吊り金具３によって仮吊りされる。器具本体５の左側端及び右側端が２つの吊り金具３によって仮吊りされることにより、作業者は、吊り金具３と器具本体５とを固定するためのネジ止め作業や結線作業を容易に行うことができる。
【００６１】
以上、本発明の実施形態１について説明した。本実施形態によれば、器具本体５が吊り金具３に仮吊りされるため、高所であっても結線作業やネジ止め作業が容易になる。
【００６２】
また、一般的な器具本体の取付作業は、器具本体が長尺である場合、器具本体５の長手方向の各端部を支えるために複数人で行われる。一方、本実施形態によれば、図９（ａ）〜図９（ｃ）を参照して説明したように、器具本体５の長手方向の各端部が各吊り金具３に仮吊りされて支持される。この結果、器具本体５の取付作業が１人で可能になる。
【００６３】
また、本実施形態に係る照明器具１は、筐体５１の第１空間Ａ１にダクトレール５２を備え、第２空間Ａ２に第２灯具５４を備える。ダクトレール５２には、照射方向の変更が自在な第１灯具５２２が装着可能である。したがって、本実施形態に係る照明器具１によれば、天井Ｃ、床面、及び壁面などのあらゆる方向に光を照射することができる。
【００６４】
また、本実施形態では、第２突出部４２４は、ベース部４２１の面方向と直交する方向に向けて突出する。これにより、より器具本体５の左右方向への移動が規制される。この結果、器具本体５が吊り金具３により安定して仮吊りされる。
【００６５】
また、本実施形態では、支持孔４１１が第１側壁３２の前後方向における略中央（中央を含む）に配置される。これにより、器具本体５が安定して吊り金具３に仮吊りされる。
【００６６】
なお、本実施形態では、支持部４１が吊り金具３に設けられ、フック部４２２が器具本体５に設けられる場合を例に説明したが、支持部４１が器具本体５に設けられ、引掛け部材４２が吊り金具３に設けられてもよい。
【００６７】
また、本実施形態において、支持孔４１１が、第１側壁３２の上下方向における略中央（中央を含む）に配置される場合を例に説明したが、支持孔４１１は、第１側壁３２の中央よりも上方に配置されてもよい。支持孔４１１が第１側壁３２の上下方向の略中央又は中央よりも上方に配置されることにより、器具本体５がより安定して吊り金具３に仮吊りされる。
【００６８】
また、本実施形態において、第２突出部４２４が第１突出部４２３から下方に向けて突出する構成を説明したが、第２突出部４２４は、第１突出部４２３から上方に向けて突出してもよい。
【００６９】
また、本実施形態において、フック部４２２の数が１つである場合を例に説明したが、フック部４２２の数は複数であってもよい。例えば、引掛け部材４２の数が、複数になってもよい。複数のフック部４２２は、器具本体５の前後方向に均等に配置されることが好ましい。これにより、器具本体５がより安定して吊り金具３に仮吊りされる。なお、支持孔４１１の数は、フック部４２２の数に応じて変更されてもよい。あるいは、支持孔４１１は、複数のフック部４２２が挿通可能な大きさに変更されてもよい。
【００７０】
また、本実施形態では、支持孔４１１が第１側壁３２を貫通したが、支持孔４１１は、第１側壁３２を貫通しなくてもよい。
【００７１】
［実施形態２］
続いて、図１０〜図１２を参照して、本発明の実施形態２について説明する。実施形態２では、照明器具１が複数の器具本体５を備える点が実施形態１と異なる。以下、実施形態２について実施形態１と異なる事項について説明し、実施形態１と重複する部分についての説明は割愛する。
【００７２】
まず、図１０を参照して、実施形態２に係る照明器具１の構成について説明する。図１０は、実施形態２に係る照明器具１の構成を示す斜視図である。
【００７３】
図１０に示すように、照明器具１は、Ｌ字状に延在している。本実施形態において、照明器具１は、３つの器具本体５及び４つの吊り金具３を備える。以下では、３つの器具本体５を、左側の器具本体５から順に、第１器具本体５ａ、第２器具本体５ｂ、及び第３器具本体５ｃと記載する。第１器具本体５ａ及び第２器具本体５ｂは、左右方向に延在するように配置され、第３器具本体５ｃは、前後方向に延在するように配置される。また、４つの吊り金具３を左側の吊り金具３から、照明器具１が延在する方向に沿った順に、第１エンド吊り金具３Ｅ１、中間吊り金具３Ｍ、Ｌ字吊り金具３Ｌ、及び第２エンド吊り金具３Ｅ２と記載する。
【００７４】
第１エンド吊り金具３Ｅ１及び第２エンド吊り金具３Ｅ２は、照明器具１の各端部に配置される。詳しくは、第１エンド吊り金具３Ｅ１は、第１器具本体５ａの左側の端部と連結する。第２エンド吊り金具３Ｅ２は、第３器具本体５ｃの後ろ側の端部と連結する。
【００７５】
中間吊り金具３Ｍは、同じ方向に延在する２つの器具本体５（第１器具本体５ａと第２器具本体５ｂと）の間に配置される。詳しくは、中間吊り金具３Ｍは、第１器具本体５ａの右側の端部及び第２器具本体５ｂの左側の端部と連結する。
【００７６】
Ｌ字吊り金具３Ｌは、互いに直交する器具本体５（第２器具本体５ｂと第３器具本体５ｃと）の間に配置される。詳しくは、Ｌ字吊り金具３Ｌは、第２器具本体５ｂの右側の端部及び第３器具本体５ｃの前側の端部と連結する。
【００７７】
続いて、図１１及び図１２を参照して、実施形態２に係る吊り金具３の構成について説明する。なお、図１０を参照して説明した第１エンド吊り金具３Ｅ１及び第２エンド吊り金具３Ｅ２の構成は、実施形態１で説明した吊り金具３の構成と同様である。このため、第１エンド吊り金具３Ｅ１及び第２エンド吊り金具３Ｅ２の構成についての説明は省略する。
【００７８】
まず、図１１を参照して、実施形態２に係る中間吊り金具３Ｍの構成について説明する。図１１は、実施形態２に係る中間吊り金具３Ｍの構成を示す斜視図である。
【００７９】
図１１に示すように、中間吊り金具３Ｍは、実施形態１で説明した吊り金具３と同様に、上壁３１、第１側壁３２、第２側壁３３、及び下壁３４を有する。第１側壁３２は、照明器具１の左右方向において第２側壁３３に対向する。本実施形態では、第１側壁３２は、図１０を参照して説明した第２器具本体５ｂと対向する。また、第２側壁３３は、図１０を参照して説明した第１器具本体５ａと対向する。
【００８０】
中間吊り金具３Ｍは、第１側壁３２及び第２側壁３３の構成が、実施形態１で説明した吊り金具３と異なる。具体的には、中間吊り金具３Ｍの第１側壁３２は、実施形態１で説明した吊り金具３と比べて、第２ケーブル挿通孔ｈ２に形成された第１切欠き部Ｋ１が省略され、貫通孔３２１が形成される。また、中間吊り金具３Ｍの第２側壁３３は、実施形態１で説明した吊り金具３の第１側壁３２と同様の構成を有する。詳しくは、中間吊り金具３Ｍの第２側壁３３には、支持部４１が設けられる。第２側壁３３に設けられた支持部４１の支持孔４１１には、図１０を参照して説明した第１器具本体５ａの右側のフック部４２２が挿入される。なお、第１側壁３２に設けられた支持部４１の支持孔４１１には、第２器具本体５ｂの左側のフック部４２２が挿入される。
【００８１】
また、中間吊り金具３Ｍの第２側壁３３には、第１ケーブル挿通孔ｈ１、及び第２ケーブル挿通孔ｈ２が形成されている。第２側壁３３の第１ケーブル挿通孔ｈ１には、第１器具本体５ａの第２灯具５４の第２電源部に接続するケーブルが挿通される。第２側壁３３の第２ケーブル挿通孔ｈ２には、第１器具本体５ａの右端部に配置されたフードインキャップ５２１に接続するケーブルが挿通される。第２側壁３３の第１ケーブル挿通孔ｈ１及び第２ケーブル挿通孔ｈ２に挿通された各ケーブルは、第１側壁３２の第１ケーブル挿通孔ｈ１及び第２ケーブル挿通孔ｈ２を介して第２器具本体５ｂへ導かれる。
【００８２】
続いて、図１２を参照して、実施形態２に係るＬ字吊り金具３Ｌの構成について説明する。図１２は、実施形態２に係るＬ字吊り金具３Ｌの構成を示す斜視図である。
【００８３】
図１２に示すように、Ｌ字吊り金具３Ｌは、上壁３１、第１側壁３２、第３側壁３５、及び下壁３４を有する。第１側壁３２と第３側壁３５とは互いに直交する。第１側壁３２は、図１０を参照して説明した第２器具本体５ｂと対向する。また、第３側壁３５は、図１０を参照して説明した第３器具本体５ｃと対向する。なお、本実施形態では、Ｌ字吊り金具３Ｌの第１側壁３２に対向する側面、及び第３側壁３５に対向する側面は開放している。
【００８４】
Ｌ字吊り金具３Ｌは、第２側壁３３に替えて第３側壁３５を有する点が中間吊り金具３Ｍと異なる。第３側壁３５は、第１側壁３２と同様の構成を有する。詳しくは、第３側壁３５には、支持部４１が設けられる。第３側壁３５に設けられた支持部４１の支持孔４１１には、図１０を参照して説明した第３器具本体５ｃの前側のフック部４２２が挿入される。第１側壁３２に設けられた支持部４１の支持孔４１１には、第２器具本体５ｂの右側のフック部４２２が挿入される。
【００８５】
また、第３側壁３５には、第１ケーブル挿通孔ｈ１、及び第２ケーブル挿通孔ｈ２が形成されている。第１側壁３２の第１ケーブル挿通孔ｈ１には、第２器具本体５ｂの第２灯具５４の第２電源部に接続するケーブルが挿通される。第１側壁３２の第２ケーブル挿通孔ｈ２には、第２器具本体５ｂのフードインキャップ５２１に接続するケーブルが挿通される。第１側壁３２の第１ケーブル挿通孔ｈ１及び第２ケーブル挿通孔ｈ２に挿通された各ケーブルは、第３側壁３５の第１ケーブル挿通孔ｈ１及び第２ケーブル挿通孔ｈ２を介して第３器具本体５ｃへ導かれる。
【００８６】
以上、実施形態２について説明した。一般的なワイヤ吊下式の照明器具の場合、器具本体の長手方向の両端部がワイヤに接続される。このような構成の場合、器具本体が複数連結されると、ワイヤのピッチ（ワイヤとワイヤとの間の間隔）が均一にならない。一方、本実施形態に係る照明器具１は、ワイヤ２に吊下げられた吊り金具３を介して複数の器具本体５が連結する。したがって、本実施形態によれば、図１０に示すように、器具本体５を複数連結した場合であってもワイヤのピッチを一定にすることができる。また、器具本体の長手方向の両端部がワイヤと接続される場合に比べて、ワイヤの数を削減することができる。
【００８７】
以上、本発明の実施形態について、図面（図１〜図１２）を参照しながら説明した。但し、本発明は、上記の実施形態に限られるものではなく、その要旨を逸脱しない範囲で種々の態様において実施することが可能である。また、上記の実施形態で示す数値や、各構成要素の材質等は、一例であって特に限定されるものではなく、本発明の効果から実質的に逸脱しない範囲で種々の変更が可能である。
【００８８】
例えば、本発明の実施形態では、第１空間Ａ１にダクトレール５２が配置される形態について説明したが、第１空間Ａ１には、ダクトレール５２が配置されなくてもよい。あるいは、第１空間Ａ１には、ダクトレール５２に替えて、例えば、第２空間Ａ２に配置された第２灯具５４と同様の灯具が配置されてもよい。
【符号の説明】
【００８９】
１      照明器具
２      ワイヤ
３      吊り金具
４      係止部
５      器具本体
４１    支持部
４１１  支持孔
４１２  開口縁部
４１３  当接面
４２    引掛け部材
４２３  第１突出部
４２４  第２突出部
５１    筐体
Ｃ      天井
【図１】
2018147711.tif 000003
【図２】
2018147711.tif 000004
【図３】
2018147711.tif 000005
【図４】
2018147711.tif 000006
【図５】
2018147711.tif 000007
【図６】
2018147711.tif 000008
【図７】
2018147711.tif 000009
【図８】
2018147711.tif 000010
【図９】
2018147711.tif 000011
【図１０】
2018147711.tif 000012
【図１１】
2018147711.tif 000013
【図１２】
2018147711.tif 000014